(57)【特許請求の範囲】
【請求項１】
取付け対象に衝合される背面に全長にわたって取付溝が形成され、その取付溝の開口部両側から内向きにフランジが設けられた被取付部材を上記取付け対象の表面に取付ける取付具において、平板からなる折曲基部の両端に、前記取付け対象に形成された取付孔への挿入時に、その取付孔の内周との接触によって内向きに弾性変形する一対の挿入片を形成し、各挿入片の先端部に、上記取付孔の内周に係合可能なＶ形の屈曲片部を形成し、各屈曲片部の先端に前記取付け対象の表面に係合して、上記屈曲片部を取付孔の内周と対向する位置に位置決めする係合片部を連設し、各係合片部に前記被取付部材のフランジの内面側縁部に対して係合可能のわん曲部を設け、前記折曲基部の両側に、前記取付孔への挿入時に、その取付孔の内周との接触によって内方向に弾性変形する一対の係合爪片を連設し、各係合爪片の先端に取付孔の内周に係合する内向きの屈曲部を形成したことを特徴とする部材の取付具。
【請求項２】
前記係合片部のわん曲部における両側に前記被取付部材におけるフランジの内面と対向する抜け止め防止片を設けたことを特徴とする請求項１に記載の部材の取付具。
【請求項３】
前記屈曲部の先端部両側に被取付部材におけるフランジ内側縁と係合する一対の振れ止め防止片を設けたことを特徴とする請求項１又は２に記載の部材の取付具。
【請求項４】
前記係合爪片の先端部に設けられた前記屈曲部の両側に、前記取付け対象の背面側において前記取付孔の内周部に係合可能の突片を設けたことを特徴とする請求項１乃至３のいずれかの項に記載の部材の取付具。
【発明の詳細な説明】
【０００１】
【発明の技術分野】
この発明は、玄関扉等の取付け対象にモール等の被取付部材を取付ける部材の取付具に関するものである。
【０００２】
【従来の技術】
一般に、玄関扉においては、モール（飾り縁）の取付けによって高級感を与えるようにしている。
【０００３】
上記モールの取付けに際し、ねじ止めする方法を採用すると非常に手間がかかるため、特開平９−３２４８０８号公報においては、モールを簡単に安定よく取付けることができる取付具を提案している。
【０００４】
上記取付具は、モールに一体化する基部に複数の爪部を設け、その爪部を玄関扉に形成された取付孔に圧接係合させるようにしてモールの取付け時の安定化を図るようにしている。
【０００５】
【発明が解決しようとする課題】
ところで、上記取付具においては、爪部をモールにねじ止めする取付けであり、その取付けに際して、玄関扉に形成された取付孔に一致させる必要があるため、手間がかかり、取付けの容易化を図るうえにおいて、まだ改善すべき点が残されている。
【０００６】
この発明の課題は、モール等の被取付部材を玄関扉等の取付け対象にドライバ等の工具を用いることなく簡単に取付けることができるようにした部材の取付具を提供することである。
【０００７】
【課題を解決するための手段】
上記の課題を解決するために、この発明においては、取付け対象に衝合される背面に全長にわたって取付溝が形成され、その取付溝の開口部両側から内向きにフランジが設けられた被取付部材を上記取付け対象の表面に取付ける取付具において、平板からなる折曲基部の両端に、前記取付け対象に形成された取付孔への挿入時に、その取付孔の内周との接触によって内向きに弾性変形する一対の挿入片を形成し、各挿入片の先端部に、上記取付孔の内周に係合可能なＶ形の屈曲片部を形成し、各屈曲片部の先端に前記取付け対象の表面に係合して、上記屈曲片部を取付孔の内周と対向する位置に位置決めする係合片部を連設し、各係合片部に前記被取付部材のフランジの内面側縁部に対して係合可能のわん曲部を設け、前記折曲基部の両側に、前記取付孔への挿入時に、その取付孔の内周との接触によって内方向に弾性変形する一対の係合爪片を連設し、各係合爪片の先端に取付孔の内周に係合する内向きの屈曲部を形成した構成を採用している。
【０００８】
上記の構成から成る取付具は、取付け対象に形成された取付孔に折曲基部を先にして差し込むことにより、Ｖ形の屈曲片部が取付孔の内周に係合し、上記取付孔に取付具を簡単に取付けることができる。
【０００９】
そこで、取付け対象に複数の取付孔を直線状の配置でもって形成し、各取付孔に取付具を取付け、各取付具の一対の係合片部が取付孔の配列方向を対称線として対称位置に配置されるよう各取付具の向きを揃えたのち、上記一対の係合片部が被取付部材のフランジ間に嵌合するようにして、その被取付部材を取付け対象に向けて押し込むと、上記係合片部がフランジに圧接係合することになり、被取付部材を簡単に取付けることができる。
【００１０】
ここで、前記係合片部のわん曲部における両側に前記被取付部材におけるフランジの内面と対向する抜け止め防止片を設けておくと、被取付部材が取付け対象から離反する方向に移動しようとした場合に、抜け止め防止片がフランジの内面と係合するため、被取付部材の脱落を防止することができる。
【００１１】
また、平板からなる折曲基部の両側に、前記取付孔への挿入時に、その取付孔の内周との接触によって内方向に弾性変形する一対の係合爪片を連設し、各係合爪片の先端に取付孔の内周に係合する内向きの屈曲部を形成したことにより、取付孔に対する取付具の取付け状態で係合爪の先端部に設けられた屈曲部の両端が取付孔の内周に係合するため、取付部をきわめて安定よく取付けることができる。
【００１２】
ここで、前記屈曲部の先端部両側に被取付部材におけるフランジ内側縁と係合する一対の振れ止め防止片を設けると、被取付部材の取付け時に、振れ止め防止片が被取付部材のフランジに係合するため、被取付部材をきわめて安定よく取付けることができる。
【００１３】
また、前記係合爪片の先端部に設けられた屈曲部の両側に、前記取付け対象の背面側において前記取付孔の内周部に係合可能の突片を設けておくと、その突片と取付孔の内周部の係合によって取付具の抜け止めを図ることができ、取付具に安定した取付け状態を得ることができる。
【００１４】
【発明の実施の形態】
以下、この発明の実施の形態を図面に基づいて説明する。
【００１５】
図１および図２は、この発明に係る取付具Ａを用いて、取付け対象としての玄関扉Ｂに取付部材としてのモールＣを取付ける例を示しており、玄関扉ＢにはモールＣの取付け位置に円形の取付孔１が形成されている。ここで、取付孔１は直線状の配置でもって複数形成される。
【００１６】
モールＣはアルミの押し出し型材から成り、玄関扉Ｂの表面に衝合される背面には直線状の取付溝２が設けられ、その取付溝２の開口部両側から内向きに一対のフランジ３が形成されている。
【００１７】
モールＣを取付ける取付具Ａは、Ｕ字形の折曲基部１０の両端に弾性変形可能な一対の挿入片１１が設けられている。一対の挿入片１１は、その対向部間の間隔が先端に至るに従って拡くなるよう傾斜しており、玄関扉Ｂに形成された前記取付孔１への挿入時に、その取付孔１の内周との接触によって内向きに弾性変形するようになっている。
【００１８】
一対の挿入片１１のそれぞれ先端部には、内向きに折れ曲がるＶ形の屈曲片部１２が設けられ、各屈曲片部１２の両端は取付孔１の内周に係合可能とされている。
【００１９】
屈曲片部１２のそれぞれ先端には係合片部１３が設けられている。係合片部１３は玄関扉Ｂの表面に対する係合によって取付孔１に対する挿入片１１の挿入量を制限して、屈曲片部１２が取付孔１の内周と対向する位置に屈曲片部１２を位置決めするようになっている。
【００２０】
上記係合片部１３には、上記屈曲片部１２に連続して外方向へのわん曲部１３ａが形成され、そのわん曲部１３ａに連続して内向きに傾斜する傾斜部１３ｂが設けられ、上記わん曲部１３ａがモールＣにおけるフランジ２の内側縁に圧接係合可能とされている。
【００２１】
いま、折曲基部１０を先にして取付具Ａを玄関扉Ｂに形成された取付孔１に挿入すると、その取付孔１の内周に対する接触によって一対の挿入片１１が内方向に弾性変形する。取付具Ａをさらに挿入すると、図１（II）に示すように、係合片部１３が玄関扉Ｂの表面に当接して取付具Ａの挿入量が制限される。このとき、屈曲片部１２は取付孔１の内周と対向するため、挿入片１１は外方向に形状復元し、その復元弾性によって屈曲片部１２の両端部は図１（Ｉ）に示すように、取付孔１の内周に圧接係合し、取付具Ａは取付状態とされる。
【００２２】
そこで、取付孔１のそれぞれに取付具Ａを取付け、各取付具Ａの一対の係合片１３が取付孔１の配列方向を対称線として対称位置に位置するよう各取付具Ａの向きを調整したのち、一対の係合片部１３がモールＣの一対のフランジ３間に嵌合するようにしてモールＣを玄関扉Ｂの表面に向けて押し込むと、フランジ３の側縁が係合片部１３のわん曲部１３ａを押圧し、その押圧によって係合片部１３は内方向に弾性変形する。上記フランジ３がわん曲部１３ａを通過すると、係合片部１３が外方向に形状復元し、その復元弾性によって係合片部１３のわん曲部１３ａが図１（Ｉ）に示すようにフランジ３の側縁部に圧接係合し、モールＣは玄関扉Ｂの表面に引き寄せられて背面が玄関扉Ｂの表面に密着する取付け状態に保持される。
【００２３】
このように、モールＣの取付けに際しては、取付孔１に取付具Ａを取付け、その取付具Ａの向きを調整して一対の係合片部１３がモールＣのフランジ３間に嵌合するようにしてモールＣを玄関扉Ｂの表面に向けて押し込むことにより、モールＣを取付けることができるため、モールＣの取付けに工具を必要とせず、モールＣをきわめて簡単に取付けることができる。
【００２４】
図３は、この発明に係る取付具Ａの他の実施の形態を示す。この実施の形態においては、図１に示す取付具Ａの折曲基部１０を角形の平板とし、その平板状折曲基部１０の両側に一対の係合爪片１４を形成している。一対の係合爪片１４は外方向に向けて傾斜し、挿入片１１を取付孔１に挿入した際、その取付孔１の内周に対する接触によって内方向へ弾性変形するようになっている。
【００２５】
各係合爪片１４の先端には内向きの屈曲部１５が形成されている。屈曲部１５は、挿入片１１の先端に設けられたＶ形屈曲片部１２の両端が取付孔１の内周に係合する状態において、図３（II）に示すように、上記取付孔１の内周に両端部が係合するようになっている。
【００２６】
上記のように、係合爪片１４の先端に取付孔１の内周に両端部が係合する屈曲部１５を設けることにより、取付孔１に対する取付具Ａの取付状態において、その取付具Ａが一対の挿入片１１の対向方向（図３（II）の左右方向）に移動するのを防止することができ、取付具Ａをきわめて安定よく取付けることができる。
【００２７】
図４は、この発明に係る取付具のさらに他の実施の形態を示す。この実施の形態においては、図３（Ｉ）に示す取付具Ａの屈曲部１５の先端部に両側方向に張り出す振れ止め防止片１６を形成し、その一対の振れ止め防止片１６の外側縁間の寸法をモールＣに形成された一対のフランジ３の側縁間の寸法より少し小さくしている。また、各振れ止め防止片１６の先端部にテーパ縁１６ａを形成し、モールＣの取付け時に、一対のフランジ３がテーパ縁１６ａに衝合しても、そのテーパ縁１６ａによりフランジ３の移動を案内して、モールＣの背面が玄関扉の背面に密着する正しい取付け状態が得られるようにしている。
【００２８】
上記のように、屈曲部１５の先端部両側に振れ止め防止片１６を形成すると、モールＣの取付け状態において、上記振れ止め防止片１６はモールＣの一対のフランジ３間に侵入してフランジ３と対向する。このため、モールＣは長さ方向と直交する方向に移動するのが防止され、モールＣをより安定よく取付けることができる。
【００２９】
図５は、この発明に係る取付具のさらに他の実施の形態を示す。この実施の形態においては、図４に示す取付具の係合片部１３のわん曲部１３ａの両側に、傾斜片部１３ｂの傾斜方向に延びてわん曲部１３ａの外表面より外方に突出する抜け止め防止片１７を設けている。
【００３０】
また、係合爪片１４の先端部に設けられた屈曲部１５の両側から外向きに突片１８を設けている。
【００３１】
上記のように、屈曲部１５の両側に突片１８を形成すると、取付孔１に対する取付具Ａの取付けによって、上記突片１８は図５（II）に示すように、玄関扉Ｂの背面側において取付孔１の内周部と係合することになる。このため、取付具Ａが取付孔１から抜け出るのを防止することができ、取付具Ａをきわめて安定よく取付けることができる。
【００３２】
また、係合片部１３におけるわん曲部１３ａの両側に抜け止め防止片１７を設けると、図６（Ｉ）に示すモールＣの取付け状態において、上記抜け止め防止片１７がモールＣのフランジ３の内面と対向する。このため、モールＣに玄関扉Ｂの表面から離反する方向の外力が付与されてわん曲部１３ａとフランジ３の係合が解除されようとすると、抜け止め防止片１７がフランジ３内面と係合することになり、わん曲部１３ａとフランジ３を係合状態に確実に保持することができ、モールＣにきわめて安定した取付状態を得ることができる。
【００３３】
なお、モールＣの取付け時、わん曲部１３ａとフランジ３の係合によって取付具Ａに外方向への引き抜き力が作用し、その引き抜き力は突片１８と取付孔１の内周部の係合部によって受けられ、係合爪片１４は図６（II）に示すように、外方向にわん曲する。
【００３４】
実施の形態においては、モールＣの取付けを例にとって説明したが、被取付部材はモールＣに限定されるものではない。
【００３５】
【発明の効果】
この発明は以上のように構成したので下記に示す効果を奏する。
【００３６】
請求項１に記載の発明においては、玄関扉等の取付け対象に形成された取付孔に取付具を差し込むことによって、その取付孔に取付具を取付けることができると共に、上記取付具に設けられた一対の係合片部が被取付部材に形成された一対のフランジ間に嵌合するよう、その被取付部材を取付け対象の表面に向けて押し込むことにより、被取付部材を取付け対象の表面に取付けることができるため、被取付部材の取付けに工具を必要とせず、被取付部材をきわめて簡単に取付けることができる。
【００３７】
請求項２に記載の発明においては、係合片部のわん曲部の両側に被取付部材のフランジ内面と対向する抜け止め片を設けたことにより、その抜け止め片とフランジの係合によって被取付部材の抜け止めを図ることができ、被取付部材をより安定よく取付けることができる。
【００３８】
請求項３に記載の発明においては、平板状折曲基部の両側に一対の係合爪片を形成し、各係合爪片の先端部に取付孔の内周と係合する内向きの屈曲部を形成したことにより、上記屈曲部の両端と取付孔の内周の係合によって取付具が一対の挿入片の対向方向に移動するのを防止することができ、取付孔に取付具をきわめて安定よく取付けることができる。
【００３９】
請求項４に記載の発明においては、一対の係合爪片の先端に設けた屈曲部の先端部両側に振れ止め防止片を設けたことにより、その振れ止め防止片によって被取付部材が長さ方向と直交する方向に移動するのを防止することができるため、被取付部材にきわめて安定した取付状態を得ることができる。
【００４０】
請求項５に記載の発明においては、係合片部の先端部における屈曲部の両側に、取付け対象の背面において取付孔の内周部に係合可能の突片を設けたことにより、取付具の抜け止めを図り、取付具をきわめて安定よく取付けることができる。
【図面の簡単な説明】
【図１】（Ｉ）はこの発明に係る取付具の実施の形態を示す使用状態の断面図、（II）は（Ｉ）のａ−ａ線に沿った断面図、（III ）は（Ｉ）の一部切欠正面図
【図２】同上の分解斜視図
【図３】（Ｉ）は同上取付具の他の実施の形態を示す斜視図、（II）は使用状態の断面図、（III ）は（II）のｂ−ｂ線に沿った断面図
【図４】（Ｉ）は同上取付具のさらに他の実施の形態を示す斜視図、（II）は同上の使用状態の断面図
【図５】（Ｉ）は同上取付具のさらに他の実施の形態を示す取付状態の平面図、（II）は側面図
【図６】（Ｉ）は図５に示す取付具を用いてモールを取付けた状態の横断平面図、（II）は縦断側面図
【符号の説明】
Ａ  取付具
Ｂ  取付け対象
Ｃ  被取付部材
１  取付孔
２  取付溝
３  フランジ
１０  折曲基部
１１  挿入片
１２  屈曲片部
１３  係合片部
１３ａ  わん曲部
１４  係合爪片
１５  屈曲部
１６  振れ止め防止片
１７  抜け止め防止片
１８  突片
【図１】
0004225610.tif 000002
【図２】
0004225610.tif 000003
【図３】
0004225610.tif 000004
【図４】
0004225610.tif 000005
【図５】
0004225610.tif 000006
【図６】
0004225610.tif 000007